(57)【特許請求の範囲】
【請求項１】
展示陳列物に内蔵または近接して配置され、前記展示陳列物に関連、付随するデータを記録した記録手段、前記記録手段に記録したデータを発信する発信手段、および、リクエスト信号を受信する受信手段を有し、前記受信したリクエスト信号に対応して前記記録手段よりデータを選択して発信するデータ発信装置、ならびに、
リクエスト信号を生成し発信する発信手段、前記リクエスト信号を受信した前記データ発信装置から発信されるデータを受信する受信手段、前記受信したデータを記録する記録手段、および、前記受信または記録したデータを表示する表示手段を有するデータ受信表示記録装置を備えた情報カメラシステム。
【請求項２】
前記データ受信表示記録装置が画像撮影手段を備え、前記画像撮影手段の撮影ボタンと連動して、リクエスト信号の発信および受信データの前記記録手段への記録を行う請求項１記載の情報カメラシステム。
【請求項３】
前記展示陳列物がパネルであり、前記展示陳列物に関連、付随するデータが、前記パネルに記された文字、絵を含むデータである請求項１記載の情報カメラシステム。
【請求項４】
リクエスト信号を生成し、展示陳列物に内蔵または近接して配置されたデータ発信装置に発信する発信手段、
前記リクエスト信号を受信した前記データ発信装置から発信される、前記展示陳列物に関連、付随するデータを受信する受信手段、
前記受信したデータを記録する記録手段、
前記受信または記録したデータを表示する表示手段、および、
前記展示陳列物を撮影する画像撮影手段を備え、
前記画像撮影手段の撮影ボタンと連動して、前記受信したデータの前記記録手段への記録を行うデータ受信表示記録装置。
【発明の詳細な説明】
【０００１】
【発明の属する技術分野】
本発明は、展示パネルに記された文字、絵など、展示陳列物に関連、付随したデータを、カメラ撮影の要領で通信により獲得し、表示、記録する情報カメラシステムに関する。
【０００２】
【従来の技術】
従来のこの種の装置としては、電子スチルカメラが知られている。例えば特開昭59-86977や特開昭59-183582は電子スチルカメラに関する文献である。以下、従来技術による電子スチルカメラについて図１０、図１１を参照しながら説明する。図１０は従来の電子スチルカメラの構成図、図１１は従来の電子スチルカメラの展示パネル撮影例を示す図である。図１０において１００１は撮影ボタン、１００２はレンズ、１００３は撮像素子、１００４は制御部、１００５は記録部、１００６は表示部、１００７は電子スチルカメラである。図１１において、１１０１は展示パネルである。
【０００３】
まず、電子スチルカメラ１００７を撮りたい対象である被写体に向ける。この時、被写体の画像は、レンズ１００２を通して光学的に取り込まれ、ＣＣＤなどの撮像素子１００３により電気信号に変換される。電気信号に変換された画像データは、制御部１００４を介して表示部１００６に転送され、被写体の画像が表示される。ユーザは、表示された画像を確認し、記録する場合には、撮影ボタン１００１を押す。画像データはそのまま、または圧縮などの信号処理が施された後、記録部１００５に記録される。記録部１００５としてはディスク、固体メモリなどの媒体が使用される。また、表示部１００６としては、液晶パネルなどが使用される。このようにして、被写体の撮影が実行される。
【０００４】
例えば、図１１に示すように、展示会等で説明に使用される展示パネル１１０１を撮影する場合、展示パネル１１０１に電子スチルカメラ１００７を向けて撮影ボタン１００１を押すと、展示パネル１１０１の画像がカメラ側に表示、記録される。
【０００５】
【発明が解決しようとする課題】
しかしながら、上記の構成の装置では、光学的に画像を取り込むため、被写体に含まれる細かな情報、例えば小さな文字や絵などを正確に記録、表示できない場合があるという問題があった。また、文字なども画像データとして記録されるため、記録されたデータの再利用性が低いという問題を有していた。
【０００６】
本発明は、展示陳列物に関連、付随する情報を、展示陳列物に近接するデータ発信装置から通信により遠隔取得できるようにすることにより、展示陳列物に記された文字、絵や、その関連情報などを、写真をとる要領で、その物に向けることにより遠隔で取得でき、また取得データの再利用性や加工性にも優れる情報カメラシステムを提供することを目的とする。
【０００７】
【課題を解決するための手段】
本発明は、上記の目的を達成するために、展示陳列物に関連、付随するデータを記録した記録手段と、記録手段に記録されたデータを発信する発信手段を備えたデータ発信装置を展示陳列物に内蔵または近接して設置し、このデータ発信装置から発信されるデータを受信する受信手段と、受信したデータを記録する記録手段と、受信または記録したデータを表示する表示手段を備えたデータ受信表示記録装置により展示陳列物の情報を遠隔で取得、表示、記録できるようにして情報カメラシステムを構成するようにしたものである。
【０００８】
本発明はさらに、データ受信表示記録装置にリクエスト信号を生成し発信する発信手段を、またデータ発信装置にリクエスト信号を受信する受信手段を備えるとともに、受信したリクエスト信号に対応して記録手段よりデータを選択して発信するようにして、展示陳列物の情報を遠隔取得、表示、記録できる情報カメラシステムを構成するようにしたものである。
【０００９】
本発明はまた、データ受信表示記録装置に画像撮影手段を備え、画像撮影手段の撮影ボタンと連動して、リクエスト信号を発信、あるいは記録手段への記録を行うようにしたものである。
【００１０】
本発明はまた、特にパネルに関して、パネルに記された文字、図形およびその関連情報を含むデータを発信装置から発信するように構成したものである。
【００１１】
【発明の実施の形態】
以下、本発明の実施の形態について、図１から図９を用いて説明する。
【００１２】
（実施の形態１）
図１は本発明の実施の形態１の情報カメラシステムの構成図、図２は実施の形態１の情報カメラシステムの動作フロー図、図３は実施の形態１の情報カメラシステムの展示パネルへの適用例を示す図、図４は情報カメラシステムの各種の適用例を示す図である。図1において、１０１はデータ発信装置、１０２はデータ受信表示記録装置、１０３は記録部、１０４は制御部、１０５は送信部、１０６はデータ登録部、１０７は受信部、１０８は制御部、１０９は表示部、１１０は記録ボタン、１１１は記録部、１１２は受信データ判別部、１１３は時計である。図３において、３０１は赤外線信号、３０２はアクセスが許されていないデータ受信表示記録装置である。図４において、４０１は陳列商品、４０２は列車時刻表である。
【００１３】
情報カメラシステムは、データ発信装置１０１とデータ受信表示記録装置１０２から成る。データ発信装置１０１は、展示陳列物の近くに配置され、展示陳列物に関連、付随する情報を保有し、これらの情報を、周期的にデータ受信表示記録装置１０２に向けて発信する。一方、データ受信表示記録装置１０２は、データ発信装置１０１から送られる展示陳列物の情報を受信、表示、記録する。データの転送により情報を取り込む、即ち情報を撮影するという意味で、以降の説明では、展示陳列物を被写体とも表現する。
【００１４】
まず、データ発信装置１０１では、記録部１０３に記録されたデータを制御部１０４で読み出し、送信部１０５を介して赤外線信号に変換して一定周期で発信する。この時、時計１１３から出力される時刻、日付データも同時に発信される。なお、記録部１０３には、予めデータ登録部１０６を通して発信したいデータを書き込んでおく。
【００１５】
一方、データ受信表示記録装置１０２は、ユーザにより被写体に向けられると、被写体の近くに置かれたデータ発信装置１０１からの発信信号を受信部１０７で受信し、受信データを制御部１０８を介して表示部１０９に送り、表示を行う。さらに、ユーザがこの表示を確認して保存したい場合には、記録ボタン１１０の押下により、記録部１１１に記録される。受信データ判別部１１２では、受信データが自装置で受信可能なデータであるかを判定する。従って、データ受信表示記録装置１０２にレベルを設け、受信データ判別部１１２においてレベルごとに受信データのフィルタリングを行い、受信、記録、表示できるデータに差をつけることにより、特定のユーザにのみ情報の閲覧を許す、あるいはユーザによって見られる情報量に差をつけるなどの優先度制御が可能となる。また、表示能力などデータ受信表示記録装置の性能に応じて適当なデータを取得することも可能となる。
【００１６】
図２に、本実施の形態の一連の動作フローを示す。データ発信装置側では、
ステップ１）レベル１のデータを記録部より読み出し発信。
ステップ２）レベル２のデータを記録部より読み出し発信。
【００１７】
＜繰り返し＞
ステップＮ）レベルＮのデータを記録部より読み出し発信。
ステップＮ＋１）ステップ１に戻る。
と、各レベルのデータを繰り返し発信する。
【００１８】
データ受信表示記録装置側では、
ステップ１）データ受信待ち。
ステップ２）受信データがあれば、受信データを解析する。
ステップ３）受信データが、受信可能なレベルのデータであるかを判定する。
ステップ４）受信可能なレベルのデータであれば、表示部でデータを表示する。
ステップ５）受信可能でないレベルのデータであれば、ステップ１に戻る。
ステップ６）記録ボタン押下待ち。
ステップ７）ボタンが押下されれば、記録部にデータを記録する。
ステップ８）ステップ１に戻る。
このようにして、ユーザのレベルに対応したデータの記録、表示が実現できる。
【００１９】
図３は、展示会会場等で説明に使用される展示パネルの情報を表示、記録する情報カメラシステムを示している。被写体となる展示パネル１１０１の近くにデータ発信装置１０１を設置し、展示パネルに記された文字、絵などの情報（展示物のタイトルや、特徴、連絡先など）を予め装置内に記録しておき、これらの情報を展示パネルの前方に周期的に赤外線信号３０１で発信する。この展示パネル１１０１の情報を記録したいユーザは、データ受信表示記録装置１０２をパネルに向ければ、優先度レベル制御によりアクセスが許されていないデータ受信表示記録装置３０２を除き、これらの情報を取得した時刻、日付とともに、手元で表示、記録できる。
【００２０】
また、美術品などの展示物に適用した場合、展示物の説明や連絡先情報等を文字、絵、音声等の形式で取得することができる。さらに、陳列商品に適用した場合、商品の値段、産地、価格、賞味期限などの商品の属性情報をその場で取得、表示して確認することができる。例えば、図４に示すように、店頭に並べられたみかんのような陳列商品４０１や列車時刻表４０２の横にデータ発信装置１０１を設置し、データ受信表示記録装置１０２を、みかんや時刻表などに向けることにより、その情報を獲得することができる。
【００２１】
さらに、これらの情報は、カメラで撮影したときの画像データではなく、文字などのコード化データの形式で取得できるので、データの再利用性や加工性に優れ、例えば、連絡先データを利用したインターネットのホームページアクセスなどが容易に実現可能となる。
【００２２】
このように、目に見える情報を、正確、簡単に記録、表示できるとともに、関連情報などの見えない情報も、その物から得られるという、実世界指向の極めて自然なインタフェースが実現できる。
【００２３】
（実施の形態２）
図５は本発明の実施の形態２の情報カメラシステムの構成図、図６は実施の形態２の情報カメラシステムの動作フロー図、図７は実施の形態２の情報カメラシステムの展示パネルへの適用例を示す図である。図５において、５０１はデータ発信装置、５０２はデータ受信表示記録装置、５０３はリクエストデータ生成部、５０４は送信部、５０５は受信部、５０６は受信データ判別部、５０７は制御部、５０８は発光表示部、５０９は受信データ判別部、５１０は制御部、５１１は要求ボタンである。図７において、７０１はアクセスが許されていないデータ受信表示記録装置、７０２は赤外線信号である。
【００２４】
本実施の形態では、データ発信装置５０１は、被写体に関連、付随する情報を、データ受信表示記録装置５０２からの要求に応じてデータ受信表示記録装置５０２に向けて発信する。一方、データ受信表示記録装置５０２は、データ発信装置５０１に対して情報の要求を行うとともに、この要求に対してデータ発信装置５０１から返送される被写体の情報を受信、記録、表示する。
【００２５】
まず、ユーザは、データ受信表示記録装置５０２を被写体に向けて、要求ボタン５１１を押す。この時、リクエストデータ生成部５０３でリクエストデータが生成され、送信部５０４において赤外線信号に変換されて出力される。
【００２６】
データ発信装置５０１では、データ受信表示記録装置５０２からの赤外線信号を受信部５０５において受信し、電気信号に変換する。この受信されたデータは、受信データ判別部５０６に渡され、リクエストデータであるか否かが判別される。リクエストデータである場合には、制御部５０７において、対応するデータを記録部１０３より読み出し、送信部１０５を介して赤外線信号に変換してデータ受信表示記録装置５０２に返送する。また、発光表示部５０８の表示により、リクエストを受けたことをユーザに知らせる。なお、記録部１０３に記録しておくデータは、受信部５０５より赤外線信号で入力して書き込めるが、実施の形態１と同様、データ登録部を設けて予め書き込んでおくこともできる。
【００２７】
データ受信表示記録装置５０２は、返送されてきた信号を受信部１０７で受信した後、受信データ判別部５０９で自装置宛てのデータであるかを確認し、制御部５１０を介して表示部１０９に送り、表示を行う。この時、表示された情報が、意図しているデータ発信装置５０１すなわち被写体からのものかは、データ発信装置５０１側の発光表示でユーザが確認できる。さらに、ユーザは表示内容を保存したい場合には、記録ボタン１１０を押して記録部１１１に記録する。
【００２８】
図６に、本実施の形態の動作フローを示す。データ受信表示記録装置側では、
ステップ１）要求ボタンの押下待ち。
ステップ２）要求ボタンが押されたら、要求データをデータ発信装置に向け発信する。
ステップ３）データ受信待ち状態に入る。一定時間データ受信が無ければステップ１に戻る。
ステップ４）受信データがあれば、受信データを解析する。
ステップ５）受信データが要求したデータであれば、表示部に表示する。
ステップ６）記録ボタン押下待ち。
ステップ７）記録ボタンが押下されれば、記録部に表示中のデータを記録する。
ステップ８）ステップ１に戻る。
【００２９】
一方、データ発信装置側では、
ステップ１）データ受信待ち。
ステップ２）受信データがあれば、受信データを解析する。
ステップ３）受信データが要求データであるかを判定する。要求データでない場合はステップ１に戻る。
ステップ４）要求データの場合は、相手のデータ受信表示記録装置のレベルを判定する。
ステップ５）判定したレベルに対応するデータを記録部より読み出し、発信する。
ステップ６）ステップ１に戻る。
このようにして、要求・応答型のインタラクティブな動作でデータの取得、表示、記録を行う。
【００３０】
本実施の形態では、複数のユーザからのアクセスがあった場合、すなわち複数のデータ受信表示記録装置からのリクエストの重複発生時には、衝突が発生する。ユーザからのリクエスト信号を受けた場合に、そのユーザへのデータ発信が終了するまで、データ発信装置は次のリクエスト信号を受け付けないようにし、データ受信表示記録装置側では、リクエスト信号の発信前に、現在データの受発信が行われていないかを判定し、行われている場合にはリクエスト信号の発信を遅らせるなどの方法て衝突を防ぐ衝突回避方法を適用できる。
【００３１】
この例でも、実施の形態１で示したのと同様、展示パネルや、陳列物に適用することができる。さらに、ユーザによって開示できる情報のレベルを変える優先度制御も、データ発信装置側でリクエスト信号からユーザレベルを知り、レベルごとに発信するデータを変えるなどの制御により実現できる。また、データ発信装置は、要求があるときのみ送信を行えばよいので、アクセス回数が少ない環境では、省電力化が実現できる。図７に展示パネルの場合の情報カメラシステムの適用例を示す。この例では、図３に示した実施の形態１とは異なり、データ受信表示記録装置５０２を展示パネル１１０１の横にあるデータ発信装置５０１に向け、リクエストを送ることにより、双方向の赤外線信号７０２を通して対話的に展示パネルの情報を獲得する。この場合でも、優先度制御によりアクセスが許されていないデータ受信表示記録装置７０１を排除しつつ、これらの情報を手元で表示、記録できる。
【００３２】
（実施の形態３）
図８は実施の形態３のデータ受信表示記録装置の構成図、図９は実施の形態３の情報カメラシステムの展示パネルへの適用例を示す図である。図８において、８０１はデータ受信表示記録装置付き電子スチルカメラ、８０２は表示部、８０３は記録部、８０４は制御部である。
【００３３】
本実施の形態では、従来の電子スチルカメラにデータ受信表示記録装置を付加し、写真の撮影と、通信による情報の取り込みを連動して行うようにしたものである。データ受信表示記録装置付き電子スチルカメラ８０１を被写体に向けると、被写体の画像が表示部８０２に表示される。同時に、被写体の近くにあるデータ発信装置からの文字データも受信し、表示部８０２で表示する。この状態で撮影ボタン１００１が押されると、レンズ１００２、撮像素子１００３を通して入力された画像データが記録部８０３に記録され、従来と同様の写真撮影が行われる。同時に、データ発信装置からの受信データも、受信部１０７、受信データ判別部１１２を通って記録部８０３に記録される。これらの制御は、制御部８０４で行われる。
【００３４】
本実施の形態では、実施の形態１に示したのと同様に、一方向でデータ発信装置から送信されてくるデータをカメラ側で受信、表示、記録する形態を示したが、実施の形態２の受信表示記録装置と組み合わせて、カメラ側から要求を出し、被写体側のデータ発信装置が応答するという手順でも同様の効果が得られる。
【００３５】
例えば、展示パネルを本実施の形態のデータ受信表示記録装置付き電子スチルカメラ８０１で撮影する場合、展示パネル１１０１の画像が、電子スチルカメラ側の機能により表示、記録されるのと同時に、データ受信表示記録装置側の機能で獲得された文字データも別窓で多重表示され、記録もできる。
【００３６】
本実施の形態では、被写体の撮影による画像データの取得と、その被写体に関連するデータの取得とを同時に行えるため、画像データだけでは見えにくい部分の補足データや、被写体の属性などの見えないデータなどを、画像データと関連づけて記録することができる。
【００３７】
なお、上記の実施の形態では、赤外線信号で説明したが、赤外線以外の電波などの無線信号、あるいは有線信号であっても構わない。
【００３８】
また、上記の実施の形態では展示パネルを中心に説明したが、野菜、果物などの食品、日用品など展示陳列された商品、美術館や博物館、水族館、動物園の展示物やその説明パネル、街頭のポスターや列車の時刻表、ゲーム機やパチンコなど、関連、付随するデータを有する被写体になりうるものであれば広く適用可能である。
【００３９】
【発明の効果】
以上のように、本発明によれば、展示パネルや陳列商品など展示陳列物に関連、付随する情報を、その物に近接または内蔵した装置より発信し、通信を介して遠隔でその情報の受信、表示、記録をできるようにしたので、写真を撮るようにその物に向けるだけで、見たものを簡単、正確に記録することができる。さらに、その物の関連情報など見えない情報も同時に記録することができる。また、これらの情報は、写真の場合とは異なり、文字などのコード化データとして取得できるので、データの再利用性や加工性に優れるという効果を得られる。
【００４０】
さらにデータの取得をカメラの撮影と連動するようにしたので、写真のような画像データと、その補足説明データとをセットにして同時に簡単に記録することができるという効果が得られる。
【図面の簡単な説明】
【図１】実施の形態１の情報カメラシステムの構成図
【図２】実施の形態１の情報カメラシステムの動作フロー図
【図３】実施の形態１の情報カメラシステムの展示パネルへの適用例を示す図
【図４】情報カメラシステムの各種の適用例を示す図
【図５】実施の形態２の情報カメラシステムの構成図
【図６】実施の形態２の情報カメラシステムの動作フロー図
【図７】実施の形態２の情報カメラシステムの展示パネルへの適用例を示す図
【図８】実施の形態３のデータ受信表示記録装置の構成図
【図９】実施の形態３の情報カメラシステムの展示パネルへの適用例を示す図
【図１０】従来の電子スチルカメラの構成図
【図１１】従来の電子スチルカメラの展示パネル撮影例を示す図
【符号の説明】
１０１  データ発信装置
１０２  データ受信表示記録装置
１０３  記録部
１０４  制御部
１０５  送信部
１０７  受信部
１０８  制御部
１０９  表示部
１１０  記録ボタン
１１１  記録部
１１２  受信データ判別部
１１３  時計
５０１  データ発信装置
５０２  データ受信表示記録装置
５０３  リクエストデータ生成部
５０４  送信部
５０５  受信部
５０６  受信データ判別部
５０７  制御部
５０９  受信データ判別部
５１０  制御部
５１１  要求ボタン
８０１  データ受信表示記録装置付き電子スチルカメラ
８０２  表示部
８０３  記録部
８０４  制御部
【図１】
0003937506.tif 000002
【図２】
0003937506.tif 000003
【図３】
0003937506.tif 000004
【図４】
0003937506.tif 000005
【図５】
0003937506.tif 000006
【図６】
0003937506.tif 000007
【図７】
0003937506.tif 000008
【図８】
0003937506.tif 000009
【図９】
0003937506.tif 000010
【図１０】
0003937506.tif 000011
【図１１】
0003937506.tif 000012